(57)【要約】【課題】取扱いが簡便で、その機能を有効に発現することができる二酸化塩素携帯用具及びそのパッケージを提供する。【解決手段】二酸化塩素携帯用具１０を構成する携帯用具本体１１の最表面には二酸化塩素が揮散可能な収納袋２０を保持する第１収容部１９が設けられるとともに、携帯用具本体１１の裏面には携帯電話２６に装着するための粘着層が設けられている。前記携帯用具本体１１は携帯電話２６の大きさと同じ又はそれより小さく形成されている。前記第１収容部１９を形成する伸縮シート１８は、通気性及び伸縮性を有する素材で形成されている。前記携帯用具本体１１と第１収容部１９との間には、カード１７を収容する第２収容部１５が設けられている。【選択図】図１
0003195178.tif 000002
【実用新案登録請求の範囲】
【請求項１】
二酸化塩素の携帯用具本体には、二酸化塩素が揮散可能な二酸化塩素の収納袋を保持する保持部と、他の物品に装着するための装着部とを備えた二酸化塩素携帯用具。
【請求項２】
前記装着部は、携帯用具本体の裏面に形成された粘着層である請求項１に記載の二酸化塩素携帯用具。
【請求項３】
前記携帯用具本体はシート状に形成され、その最表面には保持部として二酸化塩素の収納袋を収容する第１収容部が設けられている請求項１又は請求項２に記載の二酸化塩素携帯用具。
【請求項４】
前記携帯用具本体と第１収容部との間には、カードを収容する第２収容部が設けられている請求項３に記載の二酸化塩素携帯用具。
【請求項５】
前記携帯用具本体の大きさは、携帯電話の大きさと同じ又はそれより小さく形成され、携帯用具本体の裏面に形成された粘着層により携帯電話に貼着可能に構成されている請求項２から請求項４のいずれか１項に記載の二酸化塩素携帯用具。
【請求項６】
前記第１収容部の表面は通気性及び伸縮性を有する素材で形成されている請求項３から請求項５のいずれか一項に記載の二酸化塩素携帯用具。
【請求項７】
前記装着部は、服のボタンに装着されるボタン用装着部である請求項１に記載の二酸化塩素携帯用具。
【請求項８】
前記ボタン用装着部は、十字状の切り込みである請求項７に記載の二酸化塩素携帯用具。
【請求項９】
二酸化塩素を揮散可能にした収納袋を保持可能な保持部及び他の物品に装着するための装着部を有する携帯用具本体と、二酸化塩素を揮散可能にした収納袋とを備えた二酸化塩素携帯用具パッケージ。
【考案の詳細な説明】
【技術分野】
【０００１】
本考案は、例えば携帯電話に貼り付けて使用され、二酸化塩素に基づく殺菌作用や消臭作用を発現できる二酸化塩素携帯用具及びそのパッケージに関する。
【背景技術】
【０００２】
二酸化塩素（ＣｌＯ２）は強い酸化力を有していることから、エタノール、次亜塩素酸ナトリウム等に比べて高い殺菌作用、消毒作用、消臭作用等を発現することができる。この二酸化塩素のガスは気体であるため拡散によって広い領域まで効果を及ぼすことができ、インフルエンザウィルス、ノロウィルス、緑膿菌等に対する殺菌効果や消毒効果に優れている。
【０００３】
この種の二酸化塩素ガス発生剤パックが例えば特許文献１に示されている。すなわち、二酸化塩素ガス発生剤パックは、亜塩素酸塩粉末、活性化剤粉末等を含む二酸化塩素ガス発生剤と、該二酸化塩素ガス発生剤を収納し、二酸化塩素ガスを透過するガス透過性膜容器とを備えている。そして、二酸化塩素ガス発生剤パックを手のひらで数回たたくことによって二酸化塩素ガスを発生させ、その二酸化塩素ガスを手のひらに接触させることにより、手のひらを殺菌、消毒及び消臭することができるようになっている。
【先行技術文献】
【特許文献】
【０００４】
【特許文献１】特開２０１２−２４５４３４号公報
【考案の概要】
【考案が解決しようとする課題】
【０００５】
前記特許文献１に記載された従来構成の二酸化塩素ガス発生剤パックでは、そのパックをポケットやカバンなどに入れて持ち運び、必要なときに取り出して使用しなければならず、その取扱いが不便であった。また、このパックを他の物品に装着する場合には、パックに係止具を取付けて他の物品に装着しなければならなかった。
【０００６】
そこで、本考案の目的とするところは、取扱いが簡便で、その機能を有効に発現することができる二酸化塩素携帯用具及びそのパッケージを提供することにある。
【課題を解決するための手段】
【０００７】
上記の目的を達成するために、本考案の二酸化塩素携帯用具は、その携帯用具本体に、二酸化塩素が揮散可能な二酸化塩素の収納袋を保持する保持部と、他の物品に装着するための装着部とを備えている。
【０００８】
前記装着部は、携帯用具本体の裏面に形成された粘着層であることが好ましい。
前記携帯用具本体はシート状に形成され、その最表面には保持部として二酸化塩素の収納袋を収容する第１収容部が設けられていることが好ましい。
【０００９】
前記携帯用具本体と第１収容部との間にはカードを収容する第２収容部が設けられていることが好ましい。
前記携帯用具本体の大きさは、携帯電話の大きさと同じ又はそれより小さく形成され、携帯用具本体の裏面に形成された粘着層により携帯電話に貼着可能に構成されていることが好ましい。
【００１０】
前記第１収容部の表面は通気性及び伸縮性を有する素材で形成されていることが好ましい。
前記装着部は服のボタンに装着されるボタン用装着部であることが好ましい。
【００１１】
前記ボタン用装着部は十字状の切り込みであることが好ましい。
また、二酸化塩素携帯用具パッケージは、二酸化塩素を揮散可能にした収納袋を保持可能な保持部及び他の物品に装着するための装着部を有する携帯用具本体と、二酸化塩素を揮散可能にした収納袋とを備えている。
【考案の効果】
【００１２】
本考案の二酸化塩素携帯用具及びそのパッケージによれば、取扱いが簡便で、その殺菌・消臭機能を有効に発現することができるという効果を奏する。
【図面の簡単な説明】
【００１３】
【図１】本考案の実施形態における二酸化塩素携帯用具を携帯電話に貼着する状態を示す分解斜視図。
【図２】（ａ）は二酸化塩素携帯用具を携帯電話に貼着した状態を示す断面図、（ｂ）は二酸化塩素が収納された二酸化塩素収納袋を示す断面図。
【図３】二酸化塩素携帯用具が装着された携帯電話を使用している状態を示す斜視図。
【図４】二酸化塩素携帯用具を使用者のシャツのボタンに装着した状態を示す斜視図。
【図５】（ａ）は二酸化塩素携帯用具の装着部を示す部分正面図、（ｂ）はその装着部を使用者のシャツのボタンに装着した状態を示す断面図。
【図６】本考案の別例を示す図であって、（ａ）は二酸化塩素携帯用具の装着部としてＩ字状の装着部を示す部分正面図、（ｂ）は装着部として十字状の装着部の中心に小さい円孔を形成した状態を示す部分正面図。
【考案を実施するための形態】
【００１４】
以下、本考案の一実施形態における二酸化塩素携帯用具を図１〜図５に基づいて詳細に説明する。
図１及び図２（ａ）に示すように、本実施形態の二酸化塩素携帯用具１０を構成する携帯用具本体１１は長方形状をなすシートにより形成されている。このシートは、厚さ１ｍｍ程度のポリエチレン等で形成された第１シート１２と、同じく厚さ１ｍｍ程度のフェルト、不織布等で形成された第２シート１３とが接合されて構成されている。
【００１５】
前記携帯用具本体１１の表面上には、携帯用具本体１１と同じ幅で、携帯用具本体１１よりも若干短い長さの矩形状をなす収容シート１４の両側縁部及び底部が携帯用具本体１１に接合されて第２収容部１５が形成されている。この収容シート１４の上端縁中央部には、半円状の切欠き１６が形成されている。この第２収容部１５にはＩＣカード等のカード１７が収容される。
【００１６】
前記収容シート１４の表面には、保持部として携帯用具本体１１と同じ幅で、収容シート１４よりも若干短い長さの矩形状をなす伸縮シート１８の両側縁部及び底部が携帯用具本体１１に接合され、第１収容部１９となっている。この第１収容部１９には、二酸化塩素を揮散可能とした二酸化塩素の収納袋２０が収容される。この伸縮シート１８の上端縁は収容シート１４の上端縁より低く設定され、収納袋２０を出し入れしやすくなっている。前記収容シート１４の上部中央位置には面ファスナー２１が取付けられ、第１収容部１９内に収納袋２０を収容した後に伸縮シート１８の上端部が面ファスナー２１に貼付され、収納袋２０の抜け出しが防止される。
【００１７】
前記伸縮シート１８は通気性及び伸縮性を有する素材により形成されている。この通気性及び伸縮性を有する素材としてはポリエステル、ポリウレタン等が用いられ、二酸化塩素が収納されて厚みのある収納袋２０を収容しやすく、また二酸化塩素のガスを第１収容部１９から外部へ揮散できるように構成されている。図３に示すように、この二酸化塩素ガスは、二酸化塩素携帯用具１０の周囲の空間に拡散され、１ｍ３程度の殺菌・消臭領域Ｒが形成される。
【００１８】
図１及び図２（ｂ）に示すように、二酸化塩素の収納袋２０はガス透過性シート２２の周囲を溶着して溶着部２３が形成され、内部に二酸化塩素の粒状物２４が収納されている。二酸化塩素の粒状物２４は、液状の二酸化塩素を粒状の高分子吸収体に吸収させたもので、二酸化塩素が安定した状態で高分子吸収体に保持されている。高分子吸収体としては、ポリアクリル酸ナトリウム粉末、セルロース系吸水性樹脂粉末等が用いられる。そして、二酸化塩素携帯用具１０の使用時には、二酸化塩素ガスが収納袋２０を透過して拡散されるようになっている。なお、二酸化塩素の収納袋２０は、使用前には密閉袋内に収容され、使用時に密閉袋から取り出して使用される。
【００１９】
収納袋２０に収納される二酸化塩素としては、亜塩素酸塩の粉末と活性化剤の粉末とを反応させて二酸化塩素ガスを発生させる二酸化塩素ガスの発生剤を使用してもよい。すなわち、二酸化塩素ガスの発生剤は、例えば亜塩素酸塩の粉末と活性化剤の粉末のほか、高分子吸収体の粉末、吸湿剤の粉末、ガス発生調節剤の粉末等の混合物が用いられる。
【００２０】
前記亜塩素酸塩としては、亜塩素酸ナトリウム（ＮａＣｌＯ２）、亜塩素酸カリウム（ＫＣｌＯ２）等が挙げられる。活性化剤としては、硫酸水素ナトリウム（ＮａＨＳＯ４）、硫酸水素カリウム（ＫＨＳＯ４）等の無機酸塩、酢酸（ＣＨ３ＣＯＯＨ）、クエン酸（Ｃ５Ｈ７Ｏ５ＣＯＯＨ）等の有機酸が挙げられる。吸湿剤としては、塩化カルシウム（ＣａＣｌ２）、塩化ナトリウム（ＮａＣｌ）等が挙げられる。ガス発生調節剤としては、ゼオライト、ケイソウ土等が挙げられる。
【００２１】
図２（ａ）に示すように、前記携帯用具本体１１の裏面には、他の物品に装着するための装着部として粘着層２５が設けられている。この実施形態では、他の物品として携帯電話２６を用い、その携帯電話２６の裏面に携帯用具本体１１が粘着層２５により貼着されるようになっている。
【００２２】
前記粘着層２５は、貼着及び剥離を繰り返し行うため、再剥離型の粘着剤で形成されていることが好ましい。また、粘着層２５は、両面粘着テープを貼着して形成したり、粘着剤を携帯用具本体１１の裏面に直接塗布、乾燥して形成したりしてもよい。なお、粘着層２５の表面には図示しない剥離紙が貼付され、使用時にはその剥離紙を剥がして粘着層２５を露出させるようになっている。
【００２３】
前記携帯用具本体１１の大きさは、携帯電話２６の大きさと同じ又はそれより小さく形成され、二酸化塩素携帯用具１０が携帯電話２６からはみ出さないようになっている。
図１及び図５（ａ）に示すように、前記収容シート１４の上端部に形成された切欠き１６の上方位置における携帯用具本体１１には、装着部としての十字状の切り込み２７によりボタン用装着部が形成されている。そして、図４に示すように、十字状の切り込み２７に使用者３１のシャツ２９のボタン３０を通すことにより、切り込み２７により形成された各分割片３２が撓んで開口され、二酸化塩素携帯用具１０がシャツ２９に装着される。
【００２４】
次に、上記のように構成された本実施形態の二酸化塩素携帯用具１０について作用を説明する。
さて、図１に示すように、二酸化塩素携帯用具１０を使用する場合には、二酸化塩素の収納袋２０を揮散可能にして第１収容部１９内に挿入した後、伸縮シート１８の上端部を面ファスナー２１に押し付けて伸縮シート１８の上端部を閉じる。続いて、携帯用具本体１１の裏面を携帯電話２６の裏面に貼着する。このとき、図２（ａ）に示すように、携帯用具本体１１の裏面には粘着層２５が設けられていることから、携帯用具本体１１の裏面を携帯電話２６の裏面に宛がって押し付けるだけで二酸化塩素携帯用具１０を携帯電話２６に簡単に装着することができる。
【００２５】
その後、図２（ａ）及び図３に示すように、二酸化塩素携帯用具１０が装着された携帯電話２６は、二酸化塩素携帯用具１０の収納袋２０から二酸化塩素のガスが放出される。すなわち、収納袋２０はガス透過性を有し、第１収容部１９の伸縮シート１８は通気性を有していることから、収納袋２０内の二酸化塩素ガスが収納袋２０及び伸縮シート１８を通過して外部へ放出される。このため、図３に示すように、携帯電話２６の周囲、つまり携帯電話２６の使用者３１の周囲には１ｍ３程度の殺菌・消臭領域Ｒが形成される。従って、携帯電話２６の使用者３１は、例えばインフルエンザウィルス等のウィルスに感染するおそれが抑制されるとともに、臭気も抑えられる。
【００２６】
また、二酸化塩素携帯用具１０を使用者３１のシャツ２９に装着する場合には、図５（ａ）及び（ｂ）の二点鎖線に示すように、二酸化塩素携帯用具１０をシャツ２９のボタン３０に近づけ、携帯用具本体１１の十字状の切り込み２７にボタン３０を通せばシャツ２９に携帯用具本体１１を取付けることができる。
【００２７】
従って、図４に示すように、二酸化塩素携帯用具１０は使用者３１のシャツ２９の前面に装着される。このように、二酸化塩素携帯用具１０がシャツ２９の胸の部分に装着されることにより、使用者３１の顔を含むその周囲には１ｍ３程度の殺菌・消臭領域Ｒが形成され、インフルエンザウィルス等に対する感染を抑制できると同時に、臭気も抑制できる。
【００２８】
以上の実施形態によって得られる効果を以下にまとめて記載する。
（１）この実施形態の二酸化塩素携帯用具１０では、シート状の携帯用具本体１１に、二酸化塩素の収納袋２０を保持する保持部としての第１収容部１９と、携帯電話２６に装着するための装着部としての粘着層２５とを備えている。このため、二酸化塩素携帯用具１０を携帯電話２６に速やかに装着できるとともに、収納袋２０から二酸化塩素ガスを揮散させて殺菌機能、消臭機能等の機能を周囲に発揮することができる。携帯電話２６は電話以外にも頻繁に使用することから、二酸化塩素携帯用具１０による殺菌・消臭効果が高い。
【００２９】
従って、実施形態の二酸化塩素携帯用具１０によれば、取扱いが簡便で、その殺菌・消臭機能を有効に発現することができる。
（２）前記装着部は、携帯用具本体１１の裏面に形成された粘着層２５である。このため、粘着層２５を容易に形成できるとともに、携帯用具本体１１を携帯電話２６に貼り付けるという簡単な操作で、二酸化塩素携帯用具１０を携帯電話２６に装着することができる。
【００３０】
（３）前記携帯用具本体１１はシート状に形成され、その最表面には保持部として二酸化塩素の収納袋２０を収容する第１収容部１９が設けられている。そのため、二酸化塩素の機能を収納袋２０の周囲に良好に発現させることができる。
【００３１】
（４）前記携帯用具本体１１と第１収容部１９との間には、カード１７を収容する第２収容部１５が設けられている。従って、この第２収容部１５を利用して、ＩＣカード等の種々のカード１７を収容することができて便利である。
【００３２】
（５）前記携帯用具本体１１の大きさは、携帯電話２６の大きさと同じ又はそれより小さく形成されている。このため、二酸化塩素携帯用具１０を携帯電話２６に装着したとき二酸化塩素携帯用具１０が邪魔になり難く、携帯電話２６の取扱性を良好に維持することができる。
【００３３】
（６）前記第１収容部１９の表面は通気性及び伸縮性を有する素材で形成されている。従って、二酸化塩素ガスを第１収容部１９から外部へ通過させることができるとともに、第１収容部１９への収納袋２０の出し入れを容易に行うことができる。
【００３４】
（７）前記装着部は服のボタン３０に装着されるボタン用装着部であり、そのボタン用装着部は十字状の切り込み２７である。このため、二酸化塩素携帯用具１０を服のボタン３０に簡単に装着することができ、二酸化塩素の機能をその周囲に発揮することができる。
【００３５】
なお、前記実施形態は、次のように変更して具体化することも可能である。
・図６（ａ）に示すように、前記ボタン用装着部をＩ字状の切り込み２７ａで形成してもよい。また、図６（ｂ）に示すように、ボタン用装着部を十字状の切り込み２７の中心部にボタン３０より小さい円孔３３を形成してもよい。
【００３６】
・二酸化塩素携帯用具パッケージは、前記収納袋２０を保持可能な保持部としての第１収容部１９及び携帯電話２６に装着するための装着部としての粘着層２５を有する携帯用具本体１１と、二酸化塩素を揮散可能にした収納袋２０とを備えている。携帯用具本体１１と収納袋２０とは別々に製作され、パッケージ化される。
【００３７】
・前記粘着層２５を携帯用具本体１１の裏面の一部、例えば四隅部のみ又は外周部のみに形成してもよい。
・前記携帯用具本体１１の表面と第１収容部１９との間に、第３収容部を設けて複数のカード１７を収容できるように構成してもよい。
【符号の説明】
【００３８】
１０…二酸化塩素携帯用具、１１…携帯用具本体、１５…第２収容部、１９…保持部としての第１収容部、２０…二酸化塩素の収納袋、２５…装着部としての粘着層、２６…他の物品としての携帯電話、２７…ボタン用装着部としての十字状の切り込み。
【図１】
0003195178.tif 000003
【図２】
0003195178.tif 000004
【図３】
0003195178.tif 000005
【図４】
0003195178.tif 000006
【図５】
0003195178.tif 000007
【図６】
0003195178.tif 000008